【事件の表示】
　特許第２９５２６９７号「遊技機」の請求項１に係る特許に対する特許異議の申立てについて、次のとおり決定する。
【結　論】
　特許第２９５２６９７号の請求項１に係る特許を維持する。
【理　由】
一、手続の経緯
　本件特許第２９５２６９７号に係る発明についての出願は、平成２年９月２１日に出願された特願平２−２５００３０号の特許出願であり、平成１１年７月１６日にその発明について特許の設定登録がなされた後、その特許について、特許異議申立人河井清悦（以下、「申立人」という。）より特許異議の申立てがなされたものである。
　
二、本件発明
　本件の請求項１に係る発明（以下、「本件発明」という。）は、特許明細書の特許請求の範囲の請求項１に記載された次の事項により特定されたとおりのものである。
　「【請求項１】遊技者にとって不利な第１状態と遊技者にとって有利な第２状態とに変換可能な主変動入賞装置と、所定の遊技条件の成立に基づき、上記主変動入賞装置を規定により第２状態へ繰返し変換可能な特別遊技を起生する特別遊技起生手段と、遊技者にとって不利な第１状態と遊技者にとって有利な第２状態とに変換可能であって、上記主変動入賞装置に比べて第２状態への変換による遊技者の有利な状態が小さく設定された補助変動入賞装置と、複数の識別情報を可変表示可能であって、予め定められた特定の識別情報が停止表示されることが上記補助変動入賞装置の第２状態への変換条件となる可変表示装置と、遊技領域に設けられた特定入賞領域へ打球が入賞することを記憶するとともに当該記憶に基づいて、上記可変表示装置に可変表示を行わせると共に所定の確率に基づいて可変表示装置に特定の識別情報を停止表示させる可変表示制御手段と、を備えた遊技機において、
　上記可変表示制御手段は、上記可変表示装置に特定の識別情報が停止表示される確率が通常状態において制御される第１確率値と、特定の識別情報が停止表示される確率が上記第１確率値よりも高い第２確率値とに変更制御可能な停止確率変更制御手段と、上記特定入賞領域への打球の入賞に基づき、乱数手段から乱数値を抽出し、予め定めた所定数を上限として抽出された乱数値を順次記憶する抽出乱数値記憶手段と、上記抽出乱数値記憶手段に記憶された乱数値を判定することを必要条件に、少なくとも上記可変表示装置に停止表示させる識別情報を該可変表示装置の可変表示制御毎に決定する停止識別情報決定手段と、を含み、
　上記停止確率変更制御手段は、上記特別遊技起生手段により起生される特別遊技に関連して、可変表示装置に特定の識別情報が停止表示される確率を第１確率値から第２確率値に変更制御することを特徴とする遊技機。」
　
三、特許異議の申立て
１．申立ての理由の概要
　申立人は、下記の証拠方法を提示して、本件発明は、本件出願前に頒布された刊行物である下記甲第１号証ないし同甲第４号証に記載された発明に基いて当業者が容易に発明をすることができたものであるから、本件発明に係る特許は特許法第２９条第２項の規定に違反してされたものであるので、本件特許は取り消されるべきものである旨を主張している。
                   　　　　　　　 記
［甲第１号証］：特開平２−２０９１８１号公報
［甲第２号証］：特開昭６４−５２４９２号公報
［甲第３号証］：特開昭６４−７２７７６号公報
［甲第４号証］：特開昭６３−１６４９７９号公報
　
２．甲第１号証ないし甲第４号証の記載事項
　［甲第１号証］には、始動入賞口４、可変表示装置２０、特別変動入賞装置３０及び変動入賞装置５０を具え、始動入賞口４に入賞することにより可変表示装置２０のゲームが始動してその表示が特定の表示態様で停止したときには、予備遊技の権利が発生し、特別変動入賞装置３０の判定表示装置３７０が「×」表示を点灯するとともに特別変動入賞装置３０が開状態になり、このときに前記特別変動入賞装置３０に入賞しなかったときには前記判定表示装置３７０の「×」表示が消灯して通常の遊技状態に戻り、また前記特別変動入賞装置３０に入賞したときには判定表示装置３７０が「○」表示を点灯するとともに、特別変動入賞装置３０が閉じて特別遊技の権利が発生し、該権利に基づいて、変動入賞装置５０が可変表示装置２０によるゲーム結果として表示された時間だけ入賞し易い状態に変換して遊技者に有利な状態を与える遊技態様が複数サイクル繰り返す特別遊技が行われるパチンコ遊技機、が記載されている。
　［甲第２号証］には、弾球遊技機において、確率変化手段Ｋを作動させることによりＶ入賞口の横幅を広くしてパチンコ玉が入賞しやすくさせ、特定入賞口に打玉が入賞する確率を変化させるＶ入賞率増大処理、が記載されている。
　［甲第３号証］には、特定入賞口への球の入賞に応じて乱数を発生させ、発生された乱数に応じて当たりモードを決定し、そのモードに応じて入賞口への球の入賞確率を制御するパチンコ機において、少なくとも乱数テーブルを記憶した記憶手段と、前記乱数テーブルのアドレスをタイミング信号に同期して更新するアドレス更新手段と、入賞検出手段により入賞が検出された時の前記アドレス更新手段により更新される前記アドレスに関連した乱数テーブルの数値を発生すべき乱数とする乱数発生手段とを備え、乱数が確定されたと判定された場合には、乱数メモリ８４に確定した乱数が記憶され、乱数メモリ８４の値から当たりモードが決定され、当たりモードレジスタＲにモードが設定されると、確定メモリ８２の値を数値表示レジスタＸ１、Ｘ２、Ｘ３に設定することにより数値表示器２７に確定した乱数が表示されること、が記載されている。
　［甲第４号証］には、弾球遊技機において、入賞制御部材２８の一対の可動翼片２９ａ、２９ｂが逆八の字状に傾動変化することにより、始動入賞領域２９の入口が大きくなるように変化すること、が記載されている。
　
３．当審の判断
　上記甲第１〜４号証の記載からみて、該甲第１〜４号証には本件発明の構成の一部が個々に記載されているにすぎず、上記甲第１〜４号証のいずれにも、少なくとも、本件発明の構成である「上記可変表示装置に特定の識別情報が停止表示される確率が通常状態において制御される第１確率値と、特定の識別情報が停止表示される確率が上記第１確率値よりも高い第２確率値とに変更制御可能な停止確率変更制御手段」及び「上記停止確率変更制御手段は、上記特別遊技起生手段により起生される特別遊技に関連して、可変表示装置に特定の識別情報が停止表示される確率を第１確率値から第２確率値に変更制御すること」については、まったく記載されていない。
　以上のとおりであるから、甲第１号証に記載の発明に上記甲第２号証ないし甲第４号証に記載の発明を適用しても、本件発明のような構成を得ることができない。そして、本件発明は、その特許請求の範囲の請求項１に記載された発明の構成により、特許明細書に記載の効果を奏するものである。
　したがって、本件発明は上記甲第１号証ないし甲第４号証に記載の発明に基いて当業者が容易に発明をすることができたもの、とすることはできない。
　
４．むすび
　以上のとおりであるから、特許異議の申立ての理由によっては本件発明についての特許を取り消すことができない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１１月２８日（２０００．１１．２８）